(57)【要約】      （修正有）【課題】消臭や除湿機能を有するブーツ保持器具の提供。【解決手段】２本の棒状部材を縦に並べ、上部を逆Ｕ字型の連結部で連結し、棒状部材の下端近傍で接触する様に装置したブーツスタンドに対して、以下のいずれかの構成とする。１、棒状部材１の下部に、消臭剤・芳香剤・除湿剤等を吊り下げる為の、フック５を設ける。２、棒状部材の下部に、消臭剤・芳香剤・除湿剤等を吊り下げる為の、クリップ３を設ける。３、棒状部材を中空パイプとし、表面に複数の貫通孔４を設ける。また、上部の逆Ｕ字型の連結部分の上にグリップ形状を設ける事で、利便性を高める。【選択図】図１
0003140235.tif 000002
【実用新案登録請求の範囲】
【請求項１】
２本の棒状部材を縦に並べ、上部を略逆Ｕ字形状に連結し、２本の棒状部材をブーツなどの左右それぞれに挿入する事で、ブーツの型崩れを防ぎ、ブーツ未使用時の転倒を防止する器具において、以下のいずれか、または全ての特徴を有するブーツスタンド。
１，棒状部材の表面に、１ヶ所以上のフックを設けた。フックとは、物を取り付ける為の装置で、鉤型や棒形状、突起形状、リング形状、ポケットなどを一体成形する構成を指し、ピン・リング・紐・チェーン・籠・容器などを棒状部材に取り付ける構成も含む。
２，棒状部材およびフック装置に、１個以上の貫通孔または凹形状を設けた。
３，棒状部材に、１個以上のクリップを設けた。クリップとは、洗濯バサミ、またはこれに類する装置で、弾性変形を利用して相手物を挟み、保持する装置全般を指し、棒状部材に一体成形する構成の他、別部品のクリップ装置を取り付ける構成も含む。
４，上記のフック・クリップ及び貫通孔などを、２本の棒状部材で同数とした。
５，棒状部材を中空パイプとした。尚、その表面に複数の貫通孔を設けた構成も含む。
６，棒状部材を樹脂成形品とし、樹脂に抗菌剤を配合した、または表面に塗布した。
７，逆Ｕ字形の連結部分に、グリップ形状を設けた。尚、グリップ形状とは、人間の手で握る為の形状であり、略棒形状の表面に滑り止め形状を施した構成や、ゴムなどの滑り止め部材を取り付けた構成や、星・生物・模様などの意匠を施した構成も含む。
８，逆Ｕ字形の連結部分やグリップ形状及びその近傍に、凸部・凹部または貫通孔を設け、本体を吊り下げ可能とした。尚、リングや紐などを取り付けた構成も含む。
９，２本の棒状部材は、無負荷時及び未使用時において、１ヶ所以上で接触させた。または、最接近部分の隙間を、１０ｍｍ以下とした。
１０，棒状部材の上端近傍に、２本の棒状部材を束ねる状態に、輪ゴム又はこれに類する弾性体を嵌合させ、２本の棒状部材の下部での接触圧力を高めた。尚、輪ゴムの位置を特定する為の溝や突起を、棒状部材の表面に装置した構成も含む。
１１，２本の棒状部材は、それぞれ内棒と外筒の組合せで構成し、伸縮可能に装置した。尚、伸縮可能な装置とは、棒と筒に限らず、板状部材の溝と突起の嵌合によりスライドする構成や、これに類する構成、雌ネジと雄ネジの回転による伸縮、なども含む。
１２，棒状部材を複数の部材の連結構造とし、本考案品の全体の高さを変更可能とした。また、連結部及び前項の伸縮部に、ピン・ネジなどによるロック機構を設けた。
１３，棒状部材の少なくとも下端部分に、布製のカバーを取り付けた。または、棒状部材の下端を、略人間の足首形状に成形し、靴下を履かせる事が可能に構成した。
１４，逆Ｕ字形の連結部分の表面を粗面にする、または凹凸などで滑り止めを施した。
１５，棒状部材の断面形状を、Ｈ型、Ｍ型、Ｔ型、コ型または、これに類する形状とした。
１６，逆Ｕ字形の連結部分と棒状部材を一体成形した、又は、別部品の組合せとした。
１７，棒状部材は直線では無く、波形・曲線・幾何学模様・生物などの意匠を施した。
【考案の詳細な説明】
【技術分野】
【０００１】本考案は、主として女性用のロングブーツに使用し、ブーツ未使用時の型崩れや転倒を防止し、消臭・除湿などに使用される器具に関するものである。尚、本考案品は、雨靴・長靴・マリンブーツなどにも対応できる。
【背景技術】
【０００２】ロングブーツを履かない時の、型崩れや転倒を防止する保持器具が市販されている。また、ブーツ内に挿入する為の乾燥剤や消臭剤も市販されているが、消臭や除湿機能を有するブーツ保持器具は存在しなかった。
【考案の開示】
【考案が解決しようとしている課題】
【０００３】ブーツの型崩れや転倒を防止する器具として、例えば下記の先願が有る。
意匠出願２００６−３６３２１
しかし、上記の意匠の構成では、ブーツの臭気や湿気を取り去る機能が無く、ブーツを長期間保管する際には不適当であった。
また、市販の消臭剤や除湿剤は、ブーツの底に挿入して使用する為、取り出すのを忘れると、ブーツを履く際に邪魔になり、また、取り出す為にはブーツを逆さまにして軽く振るなどの余計な手間がかかり、利便性が悪かった。
【課題を解決する為の手段】
【０００４】２本の棒状部材を縦に並べ、上部を逆Ｕ字形の連結部で連結し、棒状部材の下端近傍で接触する様に装置したブーツスタンドに対して、以下のいずれかの構成とする。
１、棒状部材の下部に、消臭剤・芳香剤・除湿剤等を吊り下げる為の、フックを設ける。
２、棒状部材の下部に、消臭剤・芳香剤・除湿剤等を吊り下げる為の、クリップを設ける。
３、棒状部材を中空パイプとし、表面に複数の貫通孔を設ける。
また、上部の逆Ｕ字型の連結部分の上にグリップ形状を設ける事で、利便性を高める。
【考案の効果】
【０００５】本考案によれば、ブーツスタンドに消臭剤や除湿剤を吊り下げておく事が可能となり、外出から帰宅した際、ブーツを脱ぎ、本考案品を使ってブーツを立るだけで、ブーツの内部の臭気や湿気を取る事ができる。
また、上部のグリップ部に貫通孔を設けておけば、未使用時には、壁に設けたフックなどに本考案品を掛けておく事が可能で、その際、除湿剤が吸着した水分を、乾燥させる効果も有る。
【考案を実施するための最良の形態】
【０００６】１，２本の棒状部材を縦に並べ、上部を略逆Ｕ字形状に連結する。
２，各棒状部材の中央部より下側に、フックを設ける。
３，連結部の上側に、手で握る為のグリップを装置し、貫通孔を設ける。
４，上記の構成を、樹脂で一体成形する。
以上の様に装置する。
【実施例】
【０００７】図１は、請求項１に記載された内容に基づく、本考案品の代表例の、正面図である。
１は本考案品の本体を形成する棒状部材で、上部に設けた逆Ｕ字形の連結部２で連結されている。中央部よりやや下側の位置には、フック５が設けられ、ここに消臭剤や除湿剤を吊り下げる事ができる。尚、フック装置をポケット形状にすれば、紐が付いていない消臭剤等も使用可能で、ポケットを網目状にすれば、確実に消臭効果を発揮できる。
図２は、本考案品の側面図を示し、左右の側面図は、全く同じ形状である。【０００８】未使用時において、２本の棒状部材１は下部７で接触している。そして、ブーツに挿入する際は、２本の棒状部材１の下端を押し広げながら左右のブーツに挿入する。
これだけの作業により、ブーツが柔らかい素材で、しかも高さが高い（ロングブーツ）場合でも、型崩れせずに立てて保管ができる。また、同時にブーツの内部に消臭剤や乾燥剤が挿入されているので、新たに手間をかける必要が無い。
また、上部にはグリップ３が設けられ、本考案品をブーツに挿入したり取り出したりする際に使い勝手が良い。尚、グリップは、図の様に垂直に装置する他、水平でも良い。【０００９】使用するブーツが、棒状部材１の高さよりも低い場合、棒状部材１の下端はブーツの底に当り、ブーツが傷む可能性が有る。その場合、棒状部材１の下端に、柔らかい布などで、カバーをすれば良い。本考案品では、棒状部材１の下端６が、人間の足首に近い形状に装置してある為、わざわざ専用のカバーを用意しなくても、子供用の靴下をカバーとして代用する事が可能で、極めて利便性が高い。【００１０】グリップ３には、貫通孔４が設けてある。その為、玄関の壁にフックを設けておけば、未使用時には貫通孔４を利用して、本考案品を壁に吊り下げておく事が可能となる。
尚、グリップ部分は使用時に良く見えるので、星や生物などの色々な意匠を施す事も可能となる。その際、デザイン上、貫通孔４を大きくできない場合は、小さな貫通孔を設け、紐を通して輪にすれば、壁に掛ける事ができる。【００１１】本体は、請求項１の「１６，」に記載の通り、一体成形でも別部品の組合せでも成立する。７の接触部の接触圧力が不足する場合は、連結部２をバネ鋼などの金属で作れば良い。８は、請求項１の「１０，」に記載された輪ゴムである。通常は必要が無いが、７の接触部の接触圧力を高めてブーツをしっかりと挟み、確実に保持したい場合は、この輪ゴムによって接触部の接触圧力を高める事ができる。【００１２】尚、棒状部材１は、請求項１の「１５，」に記載された様に、断面形状をＨ型などにすれば強度を上げながら軽量化が可能で、請求項１の「５，」に記載された様に、中空パイプとすれば、棒状部材の内部に消臭剤や除湿剤を挿入する事ができる。
また、請求項１の「１１，」に記載された様に、棒状部材１を伸縮可能に構成すれば、高さが異なるブーツにも対応する事が可能で、請求項１の「３，」に記載された様に、クリップを装置すれば、薄板状の消臭剤なども簡単に取り付ける事ができる。
【産業上の利用可能性】
【００１３】本考案によれば、未使用時のブーツの、型崩れや転倒を防止すると同時に、ブーツの消臭や除湿を簡単に行なう事ができる。また、未使用時には本考案品を壁などに吊るし、水分を吸った除湿剤を乾燥させる事も可能で、極めて利便性が高い。
【図面の簡単な説明】
【００１４】
【図１】本考案の、請求項１に基づく実施例の、正面図を表す。（背面図も同形状）
【図２】本考案の、請求項１に基づく実施例の、側面図を表す。（左右の側面図は同形状）
【符号の説明】
【００１５】１、本考案品の本体を形成する、棒状部材
２、逆Ｕ字形の連結部
３、グリップ
４、貫通孔
５、フック
６、本体下端の足型形状
７、棒状部材の接触部
８、輪ゴム
【図１】
0003140235.tif 000003
【図２】
0003140235.tif 000004
【手続補正書】
【提出日】平成19年10月5日(2007.10.5)
【手続補正１】
【補正対象書類名】明細書
【補正の内容】
0003140235.tif 000005
0003140235.tif 000006
0003140235.tif 000007
0003140235.tif 000008
0003140235.tif 000009
0003140235.tif 000010
0003140235.tif 000011
0003140235.tif 000012
【手続補正書】
【提出日】平成19年12月27日(2007.12.27)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
２本の棒状部材を縦に並べ、上部を略逆Ｕ字形状に連結し、２本の棒状部材をブーツなどの左右それぞれに挿入する事で、ブーツの型崩れを防ぎ、ブーツ未使用時の転倒を防止する器具において、棒状部材の表面に１ヶ所以上のフックを設けた事を特徴とするブーツスタンド。尚、フックとは、物を取り付ける為の装置で、鉤型や棒形状、突起形状、リング形状、ポケットなどを一体成形する構成を指し、ピン・リング・紐・チェーン・籠・容器などを棒状部材に取り付ける構成も含む。
【請求項２】
棒状部材およびフック装置に、１個以上の貫通孔または、凹形状を設けた事を特徴とする、請求項１に記載のブーツスタンド。
【請求項３】
棒状部材に、１個以上のクリップを設けた事を特徴とする、請求項１または２に記載のブーツスタンド。尚、クリップとは、洗濯バサミ、またはこれに類する装置で、弾性変形を利用して相手物を挟み、保持する装置全般を指し、棒状部材に一体成形する構成の他、別部品のクリップ装置を取り付ける構成も含む。
【請求項４】
逆Ｕ字形の連結部分に、グリップ形状を設けた事を特徴とする、請求項１から３に記載のブーツスタンド。尚、グリップ形状とは、人間の手で握る為の形状であり、略棒形状の表面に滑り止め形状を施した構成や、ゴムなどの滑り止め部材を取り付けた構成や、星・生物・模様などの意匠を施した構成を指す。また、逆Ｕ字形状の連結部分やグリップ形状及びその近傍に、凸部・凹部または貫通孔を設ける、または、リングや紐などを取り付ける構成により、本体を吊り下げ可能とした構成も含む。
【請求項５】
棒状部材の上端近傍に、２本の棒状部材を束ねる状態に、輪ゴム又はこれに類する弾性体を嵌合させ、２本の棒状部材の下部での接触圧力を高めた事を特徴とする、請求項１から４に記載のブーツスタンド。尚、輪ゴムの位置を特定する為の溝や突起を、棒状部材の表面に装置した構成も含む。
【請求項６】
以下のいずれかの構成により、本考案品の全体の高さを変更可能に構成した事を特徴とする、請求項１から５に記載のブーツスタンド。
１，２本の棒状部材は、それぞれ内棒と外筒の組合せで構成し、伸縮可能に装置する。尚、伸縮可能な装置とは、棒と筒に限らず、板状部材の溝と突起の嵌合によりスライドする構成や、これに類する構成、雌ネジと雄ネジの回転による伸縮、なども含む。
２，棒状部材を複数の部材の連結構造とする。
【請求項７】
棒状部材の少なくとも下端部分に、布製のカバーを取り付けた、または、棒状部材の下端を略人間の足首形状に成形し、靴下を履かせる事が可能に構成した事を特徴とする、請求項から６に記載のブーツスタンド。
【請求項８】
棒状部材が、以下のいずれかの特徴を有する、請求項１から７に記載のブーツスタンド。
１，断面形状を、Ｈ型、Ｍ型、Ｔ型、コ型または、これに類する形状とした。
２，直線では無く、波形・曲線・幾何学模様・生物などの意匠を施した。
３，樹脂成形品とし、樹脂に抗菌剤を配合した、または表面に塗布した。
４，中空パイプとした。尚、その表面に複数の貫通孔を設けた構成も含む。
【手続補正２】
【補正対象書類名】手続補正書
【補正対象項目名】手続補正１
【補正方法】変更
【補正の内容】
【手続補正１】
【補正対象書類名】明細書
【補正対象項目名】全文
【補正方法】変更
【補正の内容】
【考案の詳細な説明】
【技術分野】
【０００１】本考案は、主として女性用のロングブーツに使用し、ブーツ未使用時の型崩れや転倒を防止し、消臭・除湿などに使用される器具に関するものである。尚、本考案品は、雨靴・長靴・マリンブーツなどにも対応できる。
【背景技術】
【０００２】ロングブーツを履かない時の、型崩れや転倒を防止する保持器具が市販されている。また、ブーツ内に挿入する為の乾燥剤や消臭剤も市販されているが、消臭や除湿機能を有するブーツ保持器具は存在しなかった。
【考案の開示】
【考案が解決しようとしている課題】
【０００３】ブーツの型崩れや転倒を防止する器具として、例えば下記の先願が有る。
意匠出願２００６−３６３２１
しかし、上記の意匠の構成では、ブーツの臭気や湿気を取り去る機能が無く、ブーツを長期間保管する際には不適当であった。
また、市販の消臭剤や除湿剤は、ブーツの底に挿入して使用する為、取り出すのを忘れると、ブーツを履く際に邪魔になり、また、取り出す為にはブーツを逆さまにして軽く振るなどの余計な手間がかかり、利便性が悪かった。
【課題を解決する為の手段】
【０００４】２本の棒状部材を縦に並べ、上部を逆Ｕ字形の連結部で連結し、棒状部材の下端近傍で接触する様に装置したブーツスタンドに対して、以下のいずれかの構成とする。
１、棒状部材の下部に、消臭剤・芳香剤・除湿剤等を吊り下げる為の、フックを設ける。
２、棒状部材の下部に、消臭剤・芳香剤・除湿剤等を吊り下げる為の、クリップを設ける。
３、棒状部材を中空パイプとし、表面に複数の貫通孔を設ける。
また、上部の逆Ｕ字型の連結部分の上にグリップ形状を設ける事で、利便性を高める。
【考案の効果】
【０００５】本考案によれば、ブーツスタンドに消臭剤や除湿剤を吊り下げておく事が可能となり、外出から帰宅した際、ブーツを脱ぎ、本考案品を使ってブーツを立るだけで、ブーツの内部の臭気や湿気を取る事ができる。
また、上部のグリップ部に貫通孔を設けておけば、未使用時には、壁に設けたフックなどに本考案品を掛けておく事が可能で、その際、除湿剤が吸着した水分を、乾燥させる効果も有る。
【考案を実施するための最良の形態】
【０００６】１，２本の棒状部材を縦に並べ、上部を略逆Ｕ字形状に連結する。
２，各棒状部材の中央部より下側に、フックを設ける。
３，連結部の上側に、手で握る為のグリップを装置し、貫通孔を設ける。
４，上記の構成を、樹脂で一体成形する。
以上の様に装置する。
【実施例】
【０００７】図１は、請求項１・２・４及び５に記載された内容に基づく、本考案品の代表例の、正面図である。
１は本考案品の本体を形成する棒状部材で、上部に設けた逆Ｕ字形の連結部２で連結されている。中央部よりやや下側の位置には、フック５が設けられ、ここに消臭剤や除湿剤を吊り下げる事ができる。尚、フック装置をポケット形状にすれば、紐が付いていない消臭剤等も使用可能で、ポケットを網目状にすれば、確実に消臭効果を発揮できる。
図２は、本考案品の側面図を示し、左右の側面図は、全く同じ形状である。【０００８】未使用時において、２本の棒状部材１は下部７で接触している。そして、ブーツに挿入する際は、２本の棒状部材１の下端を押し広げながら左右のブーツに挿入する。
これだけの作業により、ブーツが柔らかい素材で、しかも高さが高い（ロングブーツ）場合でも、型崩れせずに立てて保管ができる。また、同時にブーツの内部に消臭剤や乾燥剤が挿入されているので、新たに手間をかける必要が無い。
また、上部にはグリップ３が設けられ、本考案品をブーツに挿入したり取り出したりする際に使い勝手が良い。尚、グリップは、図の様に垂直に装置する他、水平でも良い。【０００９】使用するブーツが、棒状部材１の高さよりも低い場合、棒状部材１の下端はブーツの底に当り、ブーツが傷む可能性が有る。その場合、棒状部材１の下端に、柔らかい布などで、カバーをすれば良い。本考案品では、棒状部材１の下端６が、人間の足首に近い形状に装置してある為、わざわざ専用のカバーを用意しなくても、子供用の靴下をカバーとして代用する事が可能で、極めて利便性が高い。【００１０】グリップ３には、貫通孔４が設けてある。その為、玄関の壁にフックを設けておけば、未使用時には貫通孔４を利用して、本考案品を壁に吊り下げておく事が可能となる。
尚、グリップ部分は使用時に良く見えるので、星や生物などの色々な意匠を施す事も可能となる。その際、デザイン上、貫通孔４を大きくできない場合は、小さな貫通孔を設け、紐を通して輪にすれば、壁に掛ける事ができる。【００１１】本体は、一体成形でも別部品の組合せでも成立する。
７の接触部の接触圧力が不足する場合は、連結部２をバネ鋼などの金属で作れば良い。
８は、請求項５に記載された輪ゴムである。通常は必要が無いが、７の接触部の接触圧力を高めてブーツをしっかりと挟み、確実に保持したい場合は、この輪ゴムによって接触部の接触圧力を高める事ができる。【００１２】尚、棒状部材１は、請求項８に記載された様に、断面形状をＨ型などにすれば、強度を上げながら軽量化が可能で、中空パイプとすれば、棒状部材の内部に消臭剤や除湿剤を挿入する事ができる。
また、請求項６に記載された様に、棒状部材１を伸縮可能に構成すれば、高さが異なるブーツにも対応する事が可能で、請求項３に記載された様に、クリップを装置すれば、薄板状の消臭剤なども簡単に取り付ける事ができる。
【産業上の利用可能性】
【００１３】本考案によれば、未使用時のブーツの、型崩れや転倒を防止すると同時に、ブーツの消臭や除湿を簡単に行なう事ができる。また、未使用時には本考案品を壁などに吊るし、水分を吸った除湿剤を乾燥させる事も可能で、極めて利便性が高い。
【図面の簡単な説明】
【００１４】
【図１】本考案の、請求項１・２・４・５に基づく実施例の、正面図を表す。（背面図も同形状）
【図２】本考案の、請求項１・４・５に基づく実施例の、側面図を表す。（左右の側面図は同形状）
【符号の説明】
【００１５】１、本考案品の本体を形成する、棒状部材
２、逆Ｕ字形の連結部
３、グリップ
４、貫通孔
５、フック
６、本体下端の足型形状
７、棒状部材の接触部
８、輪ゴム
【手続補正３】
【補正対象書類名】手続補正書
【補正対象項目名】手続補正１
【補正方法】変更
【補正の内容】
【手続補正１】
【補正対象書類名】図面
【補正対象項目名】全図
【補正方法】変更
【補正の内容】
【図１】
0003140235.tif 000013
【図２】
0003140235.tif 000014